(57)【要約】【課題】無線回路部分が故障した無線親機を効率よく入れ替えることができる無線テレメータ装置を提供する。【解決手段】無線親機５と無線子機６とを備え、無線親機５と無線子機６とが特定小電力無線方式の無線通信を行う無線テレメータ装置であって、無線親機５が、不揮発性メモリと前記特定小電力無線方式の無線通信以外の通信手段とを有し、前記特定小電力無線方式の無線通信で交信相手の認識に使用する固有情報である縁組情報を前記不揮発性メモリから外部へ前記通信手段を用いて読み出すことができ、且つ、前記縁組情報を外部から前記不揮発性メモリへ前記通信手段を用いて書き込むことができることを特徴とする無線テレメータ装置。【選択図】図１
2011155453.tif 000002
【特許請求の範囲】
【請求項１】
無線親機と少なくとも１つの無線子機とを備え、前記無線親機とそれぞれの前記無線子機とが特定小電力無線方式の無線通信を行う無線テレメータ装置であって、
前記無線親機が、不揮発性メモリと前記特定小電力無線方式の無線通信以外の通信手段とを有し、前記特定小電力無線方式の無線通信で交信相手の認識に使用する固有情報である縁組情報を前記不揮発性メモリから外部へ前記通信手段を用いて読み出すことができ、且つ、前記縁組情報を外部から前記不揮発性メモリへ前記通信手段を用いて書き込むことができることを特徴とする無線テレメータ装置。
【請求項２】
前記無線親機は、前記縁組情報が他の無線親機から直接的又は間接的に前記不揮発性メモリへ前記通信手段を用いて書き込まれる場合に、前記他の無線親機の固有情報を前記他の無線親機から直接的又は間接的に前記通信手段を用いて取得することを特徴とする請求項１に記載の無線テレメータ装置。
【請求項３】
前記無線親機は、
前記他の無線親機から直接的又は間接的に前記不揮発性メモリへ前記通信手段を用いて書き込まれた前記縁組情報および前記他の無線親機から直接的又は間接的に前記通信手段を用いて取得した前記他の無線親機の固有情報に基づいて、
縁組されている前記無線子機に対し、前記他の無線親機の固有情報を用いて、前記無線子機の不揮発性メモリに記憶されている前記他の無線親機の固有情報を前記無線親機の固有情報に書き換えるように前記特定小電力無線方式の無線通信により指示することを特徴とする請求項２に記載の無線テレメータ装置。
【請求項４】
請求項１〜３のいずれか１項に記載の無線テレメータ装置と、前記無線テレメータ装置のそれぞれの無線子機に接続される少なくとも一つの情報出力装置と、前記無線テレメータ装置の無線親機に接続される端末網制御装置と、前記端末網制御装置に通信回線を介して接続されるセンター網制御装置と、前記センター網制御装置に接続されるホストコンピュータとを備えることを特徴とする無線テレメータシステム。
【発明の詳細な説明】
【技術分野】
【０００１】
本発明は、無線テレメータ装置及びそれを備えた無線テレメータシステムに関し、特に無線親機と無線子機とが特定小電力無線方式の無線通信を行う無線テレメータ装置及びそれを備えた無線テレメータシステムに関する。
【背景技術】
【０００２】
一般に、無線テレメータシステムにおいて、無線親機と各無線子機とは、交信相手の認識に使用される識別符号等の互いの固有情報を交換する縁組作業を行うことで、互いに交信相手との無線通信が行える状態となる。
【先行技術文献】
【特許文献】
【０００３】
【特許文献１】特開２００７−２００１２４号公報（要約、段落００３６）
【特許文献２】特開２０００−２５１１８７号公報（段落００１８）
【特許文献３】特開２００２−１０３１５号公報（要約）
【特許文献４】特開２０００−３０６１８７号公報（要約）
【発明の概要】
【発明が解決しようとする課題】
【０００４】
しかしながら、従来の一般的な無線テレメータシステムでは、無線親機が故障し、別の無線親機と入れ替える必要が生じた場合、入れ替えた別の無線親機と各無線子機とで再度縁組作業を行う必要があり、多大な時間と労力がかかるという問題があった。
【０００５】
そこで、上記の問題を解決するための技術が種々提案されている（例えば、特許文献１〜特許文献３参照）。
【０００６】
特許文献１で開示されている無線テレメータシステムでは、無線親機が故障し、別の無線親機と入れ替える必要が生じた場合、故障した無線親機から縁組情報を記憶している不揮発性メモリを取り外し、入れ替えた別の無線親機にその不揮発性メモリを装着することにより、システムを復元している。しかし、特許文献１で開示されている無線テレメータシステムでは、無線親機に対して着脱自在な不揮発性メモリやその不揮発性メモリを装着するための装着部に余分な製造コストがかかるという新たな問題が生じる。
【０００７】
また、特許文献２で開示されている通信システムでは、予め子機に予備親機（親機が故障した場合の代替機）の識別子（予備ＩＤ）を設定しておき、親機故障時に予備親機から次の予備ＩＤ（次に予備親機が故障した場合の代替機の識別子）を含む確認応答を子機が受信すると、子機は、予め設定されている予備ＩＤを親機ＩＤに変更すると共に、予め設定されている予備ＩＤを次の予備ＩＤに変更して、親機故障時の子機の親機の識別子（親ＩＤ）の変更を行うことにより、親機が故障した際のシステムの復元を子機設置場所に出向くことなく、簡易に実現している。しかし、特許文献２で開示されている通信システムでは、予備親機を代替機として予め用意しておく必要があり、その予備親機は親機の故障がなければ不必要なものであるため、コスト高となってしまうという新たな問題が生じる。
【０００８】
また、特許文献３で開示されている無線式データ通信システムでは、無線基地局が自己の故障時に代替となる代替基地局の識別ＩＤを配下の無線子局に所定の間隔で送信しておき、無線基地局に故障が発生した場合には、各無線子局が代替基地局と接続することにより、無線基地局が故障した際のシステムの復元を実現している。しかし、特許文献３で開示されている無線式データ通信システムでは、代替基地局を予め用意しておく必要があり、その代替基地局は無線基地局の故障がなければ不必要なものであるため、コスト高となってしまうという新たな問題が生じる。
【０００９】
なお、特許文献４には、無線親機の動作を制御する制御手段の故障や仕様変更が発生した場合に制御手段の内容を書き換えることにより、無線親機本体を交換することなく対応可能な無線データ収集システムが開示されているが、特許文献４には、無線親機が故障し、別の無線親機と入れ替える必要が生じた場合の無線親機と無線子機との縁組の再構築については何ら開示されていない。
【００１０】
本発明は、上記の状況に鑑み、無線回路部分が故障した無線親機を効率よく入れ替えることができる無線テレメータ装置及びそれを備えた無線テレメータシステムを提供することを目的とする。
【課題を解決するための手段】
【００１１】
上記目的を達成するために本発明に係る無線テレメータ装置は、無線親機と少なくとも１つの無線子機とを備え、前記無線親機とそれぞれの前記無線子機とが特定小電力無線方式の無線通信を行う無線テレメータ装置であって、前記無線親機が、不揮発性メモリと前記特定小電力無線方式の無線通信以外の通信手段とを有し、前記特定小電力無線方式の無線通信で交信相手の認識に使用する固有情報である縁組情報を前記不揮発性メモリから外部へ前記通信手段を用いて読み出すことができ、且つ、前記縁組情報を外部から前記不揮発性メモリへ前記通信手段を用いて書き込むことができる構成とする。
【００１２】
このような構成によると、無線親機の無線回路（特定小電力無線方式の無線通信を行う無線回路）が故障した場合に、無線回路部分が故障した無線親機から新しい無線親機への縁組情報の移行が特定小電力無線方式の無線通信以外の通信手段を用いて行われるので、特許文献１のように無線親機に対して着脱自在な不揮発性メモリやその不揮発性メモリを装着するための装着部を設ける必要がなく、また、特許文献２や特許文献３のように代替無線親機を予め用意しておく必要もない。したがって、無線回路が故障した親機を効率よく入れ替えることができる。
【００１３】
また、前記無線親機（新しい無線親機）は、前記縁組情報が他の無線親機（無線回路部分が故障した無線親機）から直接的又は間接的に前記不揮発性メモリへ前記通信手段を用いて書き込まれる場合に、前記他の無線親機の固有情報を前記他の無線親機から直接的又は間接的に前記通信手段を用いて取得することが望ましい。
【００１４】
これにより、新しい無線親機は、無線回路部分が故障した無線親機になりすますことができ、縁組の再構築中であっても無線子機との間で特定小電力無線方式の無線通信を行うことができる。
【００１５】
さらに、前記無線親機は、前記他の無線親機から直接的又は間接的に前記不揮発性メモリへ前記通信手段を用いて書き込まれた前記縁組情報および前記他の無線親機から直接的又は間接的に前記通信手段を用いて取得した前記他の無線親機の固有情報に基づいて、縁組されている前記無線子機に対し、前記他の無線親機の固有情報を用いて、前記無線子機の不揮発性メモリに記憶されている前記他の無線親機の固有情報を前記無線親機の固有情報に書き換えるように前記特定小電力無線方式の無線通信により指示することが望ましい。
【００１６】
これにより、子機側での縁組対象機器の変更（無線回路部分が故障した無線親機から新しい無線親機への変更）が容易になる。
【００１７】
また、上記目的を達成するために本発明に係る無線テレメータシステムは、上記いずれかの構成の無線テレメータ装置と、前記無線テレメータ装置のそれぞれの無線子機に接続される少なくとも一つの情報出力装置と、前記無線テレメータ装置の無線親機に接続される端末網制御装置と、前記端末網制御装置に通信回線を介して接続されるセンター網制御装置と、前記センター網制御装置に接続されるホストコンピュータとを備える構成とする。
【発明の効果】
【００１８】
本発明によると、無線親機の無線回路（特定小電力無線方式の無線通信を行う無線回路）が故障した場合に、無線回路部分が故障した無線親機から新しい無線親機への縁組情報の移行が特定小電力無線方式の無線通信以外の通信手段を用いて行われるので、特許文献１のように無線親機に対して着脱自在な不揮発性メモリやその不揮発性メモリを装着するための装着部を設ける必要がなく、また、特許文献２や特許文献３のように代替無線親機を予め用意しておく必要もない。したがって、無線回路が故障した親機を効率よく入れ替えることができる。
【図面の簡単な説明】
【００１９】
【図１】本発明に係る無線テレメータシステムの一構成例を示すシステム概略図である。
【図２】図１に示す無線テレメータシステムが備える親機の回路構成の一例を示すブロック図である。
【図３】図１に示す無線テレメータシステムが備える子機の回路構成の一例を示すブロック図である。
【図４】親機と子機との縁組作業のシーケンスを示すシーケンス図である。
【図５】縁組要求コマンド電文と縁組要求レスポンス電文の各フォーマットを示す図である。
【図６】子機縁組情報の一例を示す図である。
【図７】親機縁組情報の一例を示す図である。
【図８】通常のデータ通信でのコマンド電文とレスポンス電文の各フォーマットを示す図である。
【図９】親機の無線回路が故障した場合のシステムの復元処理手順を示すフローチャートである。
【図１０】親機変更コマンド電文と親機変更レスポンス電文の各フォーマットを示す図である。
【発明を実施するための形態】
【００２０】
本発明の実施形態について図面を参照して以下に説明する。図１は、本発明に係る無線テレメータシステムの一構成例を示すシステム概略図である。図１に示す無線テレメータシステムは、ホストコンピュータ１と、ホストコンピュータ１に接続されるセンター網制御装置（以下、Ｃ−ＮＣＵと略す）２と、端末網制御装置（以下、Ｔ−ＮＣＵと略す）４と、無線親機（以下、親機と略す）５及び複数の無線子機（以下、子機と略す）６を有する無線テレメータ装置と、複数のメータ７とを備える。
【００２１】
Ｃ−ＮＣＵ２は、電話網を含む通信網の通信回線３を介してＴ−ＮＣＵ４に接続されており、Ｔ−ＮＣＵ４は親機５に有線接続されている。親機５と複数の子機６とは特定小電力無線方式の無線通信によりデータ通信を行う。
【００２２】
また、親機５と設定器８とは特定小電力無線方式以外の通信（例えば、有線通信、赤外線通信など）によりデータ通信が可能であり、設定器８は親機５と通信を行うための親機インタフェース（不図示）および親機５との通信により取得したデータを記憶する記憶部（不図示）を備えている。
【００２３】
各メータ７は、それぞれの子機６に接続されており、これらのメータ７は例えば電気、ガス、水道等の使用量を計量するマイコンメータ（マイクロコンピュータを搭載したメータ）である。本実施形態の構成例ではメータ７と子機６の組が複数あるが、本発明に係る無線テレメータシステムは本実施形態の構成例に限定されることはなく、メータ７と子機６が１組のみであっても構わない。
【００２４】
図２は、図１に示す無線テレメータシステムが備える親機５の回路構成の一例を示すブロック図である。図２に示す回路構成例では、親機５は、時計機能及びタイマー機能を有し親機５全体を制御する制御ＣＰＵ５０１と、特定小電力無線方式の無線信号の送受信を行う無線回路５０２と、無線回路５０２に接続されているアンテナ５０３と、Ｔ−ＮＣＵ４と通信を行うためのＴ−ＮＣＵインタフェース５０４と、設定器８と通信を行うための設定器インタフェース５０５と、ＲＯＭ（Read Only Memory）５０６と、ＲＡＭ（Random Access Memory）５０７と、不揮発性メモリ５０８と、縁組ボタン５０９と、機能モードの切り替え設定を行う設定スイッチ５１０と、動作結果などを表示する表示部５１１とを備え、電池５１２の出力により駆動する。
【００２５】
図３は、図１に示す無線テレメータシステムが備える子機６の回路構成の一例を示すブロック図である。図３に示す回路構成例では、子機６は、時計機能及びタイマー機能を有し子機６全体を制御する制御ＣＰＵ６０１と、特定小電力無線方式の無線信号の送受信を行う無線回路６０２と、無線回路６０２に接続されているアンテナ６０３と、メータ７と通信を行うためのメータインタフェース６０４と、ＲＯＭ６０６と、ＲＡＭ６０７と、不揮発性メモリ６０８と、縁組ボタン６０９と、動作結果などを表示する表示部６１１とを備え、電池６１２の電力により駆動する。
【００２６】
次に、親機５と子機６との縁組作業について図４〜図７を参照して説明する。図４は、親機５と子機６との縁組作業のシーケンスを示すシーケンス図である。
【００２７】
親機５の縁組ボタン５０９（図２参照）が押されると、親機５は一定時間縁組要求コマンド電文受信待ち状態となる。その後、子機６の縁組ボタン６０９（図２参照）が押されると、子機６は、自局（子機）の識別符号と縁組要求コマンドとを含む図５（ａ）に示すフォーマットの縁組要求コマンド電文を親機５に送信し、一定時間縁組要求レスポンス電文受信待ち状態となる。
【００２８】
縁組要求コマンド電文受信待ち状態である親機５は、縁組要求コマンド電文を受信すると、自局（親機）の識別符号と縁組要求レスポンスとを含む図５（ｂ）に示すフォーマットの縁組要求レスポンス電文を子機６に返信した後に、受信した縁組要求コマンド電文に含まれる子機の識別符号に基づいて、縁組要求コマンド電文を送信した子機の端末名、機種、ＩＤを特定し、これらを受信した縁組要求コマンド電文に含まれる子機の識別符号と関連付けて、不揮発性メモリ５０８が記憶している子機縁組情報に新規登録あるいは追加登録する。一方、縁組要求レスポンス電文受信待ち状態である子機６は、縁組要求レスポンス電文を受信すると、受信した縁組要求レスポンス電文に含まれる親機の識別符号に基づいて、親機の端末名、機種、ＩＤを特定し、これらを受信した縁組要求レスポンス電文に含まれる親機の識別符号と関連付けて、不揮発性メモリ６０８が記憶している親機縁組情報に新規登録あるいは上書き登録する。
【００２９】
上述した一連の縁組作業を親機５と縁組する子機６の台数分繰り返す。親機５と縁組する子機６がｍｎ台（ｍは１〜９のいずれかの自然数、ｎは０〜９のいずれかの整数）である場合、一連の縁組作業が終了すると、親機５の不揮発性メモリ５０８に記憶されている子機縁組情報は例えば図６に示すようになり、各子機６の不揮発性メモリ６０８に記憶されている親機縁組情報は例えば図７に示すようになる。当然の事ながら、親機５と縁組する子機６の台数が増えれば、縁組作業にかかる時間や手間が大きくなる。
【００３０】
ここで、通常のデータ通信で親機５から子機６あるいは子機６から親機５に送信されるコマンド電文のフォーマットを図８（ａ）に示し、通常のデータ通信で親機５から子機６あるいは子機６から親機５に送信されるレスポンス電文のフォーマットを図８（ｂ）に示す。
【００３１】
コマンド電文またはレスポンス電文を受信した機器が親機５である場合には、親機５と各子機６との縁組作業が完了していると、コマンド電文またはレスポンス電文を受信した機器（親機５）は、不揮発性メモリ５０８に記憶されている子機縁組情報に登録されている識別符号の中に、受信したコマンド電文またはレスポンス電文に含まれている自局（コマンド電文またはレスポンス電文を送信した機器すなわちいずれかの子機６）の識別符号と一致するものがあるかを随時判定する。また、コマンド電文またはレスポンス電文を受信した機器が子機６である場合には、親機５と各子機６との縁組作業が完了していると、コマンド電文またはレスポンス電文を受信した機器（子機６）は、不揮発性メモリ６０８に記憶されている親機縁組情報に登録されている識別符号の中に、受信したコマンド電文またはレスポンス電文に含まれている自局（コマンド電文またはレスポンス電文を送信した機器すなわち親機５）の識別符号と一致するものがあるかを随時判定する。
【００３２】
上記のような判定により、目的局（縁組している機器）以外との混信を防止することが可能となり、親機５と子機６との間での特定小電力無線方式の無線通信が安定する。
【００３３】
次に、親機５の無線回路５０２が故障した場合のシステムの復元処理について図９及び図１０を参照して説明する。図９は親機５の無線回路５０２が故障した場合のシステムの復元処理手順を示すフローチャートであり、図１０（ａ）は親機変更コマンド電文のフォーマットを示しており、図１０（ｂ）は親機変更レスポンス電文のフォーマットを示している。親機５の無線回路５０２が故障した場合、無線回路５０２が故障した親機５（以下、故障した親機５と略す）を新しい親機５に交換することが必要になる。
【００３４】
親機５の無線回路５０２が故障すると、まず、故障した親機５と設定器８とのデータ通信により、子機縁組情報および故障した親機５の識別符号が、故障した親機５の不揮発性メモリ５０８から読み出され、故障した親機５の設定器インタフェース５０５および設定器８の親機インタフェースを介して設定器８の記憶部に書き込まれる（ステップＳ１０）。故障した親機５と設定器８とのデータ通信を開始する方法としては、例えば、故障した親機５あるいは設定器８に当該データ通信の開始を指示するためのスタートボタンを設ける方法、故障した親機５と設定器８とが有線通信を行う場合には故障した親機５と設定器８との有線接続を検出する手段を故障した親機５あるいは設定器８に設け、当該有線接続が検出された時点で自動的に当該データ通信を開始する方法などが考えられる。
【００３５】
続いて、新しく交換する別の親機５（以下、別の親機５と略す）と設定器８とのデータ通信により、子機縁組情報が設定器８の記憶部から読み出され、設定器８の親機インタフェースおよび別の親機５の設定器インタフェース５０５を介して別の親機５の不揮発性メモリ５０８に書き込まれ、故障した親機５の識別符号が設定器８の記憶部から読み出され、設定器８の親機インタフェースおよび別の親機５の設定器インタフェース５０５を介して別の親機５のＲＡＭ５０７に書き込まれる（ステップＳ２０）。別の親機５と設定器８とのデータ通信を開始する方法としては、例えば、別の親機５あるいは設定器８に当該データ通信の開始を指示するためのスタートボタンを設ける方法、別の親機５と設定器８とが有線通信を行う場合には別の親機５と設定器８との有線接続を検出する手段を別の親機５あるいは設定器８に設け、当該有線接続が検出された時点で自動的に当該データ通信を開始する方法などが考えられる。
【００３６】
続いて、作業者は、通常の縁組作業と区別するために別の親機５の設定スイッチ５１０が親機入れ替えモードの設定を選択するように別の親機５の設定スイッチ５１０を操作し、その後、別の親機５の縁組ボタン５０９を押下する（ステップＳ３０）。
【００３７】
親機入れ替えモードの設定において別の親機５の縁組ボタン５０９が押下されると、ステップＳ４０の処理が実行される。ステップＳ４０の処理内容を以下に説明する。
【００３８】
別の親機５は、不揮発性メモリ５０８に書き込まれた子機縁組情報およびＲＡＭ５０７に書き込まれた故障した親機５の識別符号に基づいて、図１０（ａ）に示すフォーマットの親機変更コマンド電文を子機６に送信する。図１０（ａ）に示すフォーマットの親機変更コマンド電文では故障した親機５の識別符号が自局の識別符号として用いられているので（図８（ａ）及び図１０（ａ）参照）、親機変更コマンド電文送信時に別の親機５は故障した親機５になりすましていることになる。また、親機変更コマンド電文に含まれるコマンドの内容は、親機変更であり、より具体的には、付加データに含まれている本来の自局（別の親機５）の識別符号を次回の通信から縁組した親機５の識別符号として用いなさいというものである。
【００３９】
親機変更コマンド電文を受信した子機６は、親機変更コマンド電文の付加データに含まれる識別符号（別の親機５の識別符号）に基づいて親機縁組情報の登録内容を変更する、すなわち、親機変更コマンド電文の付加データに含まれる識別符号（別の親機５の識別符号）に基づいて親機の端末名、機種、ＩＤを特定し、これらを親機変更コマンド電文の付加データに含まれる識別符号（別の親機５の識別符号）と関連付けて、不揮発性メモリ６０８が記憶している親機縁組情報に上書き登録する。その後、親機変更コマンド電文を受信した子機６は図１０（ｂ）に示すフォーマットの親機変更レスポンス電文を別の親機５に送信し、別の親機５はその親機変更レスポンス電文を受信する。
【００４０】
別の親機５の不揮発性メモリ５０８に書き込まれた子機縁組情報が図６に示すものである場合、別の親機５は、上述した動作をｍｎ台の子機６に対して自動的に繰り返し、上述した動作がｍｎ台の子機６全てに対して完了すれば、縁組の再構築が完了してシステムが復元した旨を表示部５１１に表示させ、ステップＳ４０の処理を終了する。そして、ステップＳ４０の処理が終了すると、図９のフローチャートに示す親機５の無線回路５０２が故障した場合のシステムの復元処理が終了する。
【００４１】
図１に示す無線テレメータシステムでは、図９のフローチャートに示す親機５の無線回路５０２が故障した場合のシステムの復元処理を実行することで、特許文献１のように親機に対して着脱自在な不揮発性メモリやその不揮発性メモリを装着するための装着部を設けることなく、特許文献２や特許文献３のように代替親機を予め用意しておくことなく、無線回路部分が故障した親機を入れ替えることができる。すなわち、図９のフローチャートに示す親機５の無線回路５０２が故障した場合のシステムの復元処理を実行することで、無線回路が故障した親機を効率よく入れ替えることができる。
【００４２】
なお、本発明は上述した実施形態に限定されるものではなく、本発明の範囲内で上述した実施形態に種々の修正や変更を施し得ることは勿論である。
【００４３】
例えば、上述した実施形態では、故障した親機５から読み出された子機縁組情報および故障した親機５の識別符号が設定器８を経由して別の親機５に書き込まれたが、これに代えて、故障した親機５と別の親機５が設定器８を経由せずに特定小電力無線方式の無線通信以外の通信により直接通信し、故障した親機５から読み出された子機縁組情報および故障した親機５の識別符号が設定器８を経由せずに別の親機５に書き込まれるようにしてもよい。
【００４４】
また、例えば、上述した実施形態では、親機入れ替えモードの設定において別の親機５の縁組ボタン５０９が押下されると、図９に示すステップＳ４０の処理が開始されたが、これに代えて、設定器８に図９に示すステップＳ４０の処理開始指示用ボタンを設け、作業者が当該ボタンを押すと、設定器８が別の親機５に図９に示すステップＳ４０の処理開始を指示するようにしてもよい。
【００４５】
また、例えば、上述した実施形態では、図９に示すステップＳ４０の処理において、別の親機５から各子機６を呼び出して通信したが、これに代えて、別の親機５から親機変更コマンドおよび付加データを放送形式で送信し、各子機６からの応答が確認できた段階で縁組の再構築が完了してシステムが復元した旨を表示部５１１に表示させるようにしてもよい。
【００４６】
また、例えば、上述した実施形態では、各子機６にメータ７が接続されているが、これに代えて、各子機６に地震検知センサ等の他の情報出力装置を接続するようにしてもよい。
【００４７】
また、例えば、設定器８と通信を行うための設定器インタフェースと、機能モードの切り替え設定を行う設定スイッチとを子機６に設け、子機６と通信を行うための子機インタフェースおよび子機６との通信により取得したデータを記憶する記憶部を設定器８に設けるようにしてもよい。このような構成によると、無線回路６０２が故障した子機６を新しい子機６に交換する場合、無線回路が故障した子機を効率よく入れ替えることができる。この場合のシステムの復元処理は、親機５の無線回路５０２が故障した場合のシステムの復元処理（図９及び図１０参照）において親機５と子機６とを置換した処理と略同一であるため、ここでは詳細な説明を省略する。なお、子機インタフェースは、親機インタフェースと共通であってもよく別個であってもよい。また、子機６との通信により取得したデータを記憶する記憶部は、親機５との通信により取得したデータを記憶する記憶部と共通であってもよく別個であってもよい。
【符号の説明】
【００４８】
１  ホストコンピュータ
２  センター網制御装置（Ｃ−ＮＣＵ）
３  通信回線
４  端末網制御装置（Ｔ−ＮＣＵ）
５  無線親機
６  無線子機
７  メータ
８  設定器
５０１、６０１  制御ＣＰＵ
５０２、６０２  無線回路
５０３、６０３  アンテナ
５０４  Ｔ−ＮＣＵインタフェース
６０４  メータインタフェース
５０５  設定器インタフェース
５０６、６０６  ＲＯＭ
５０７、６０７  ＲＡＭ
５０８、６０８  不揮発性メモリ
５０９、６０９  縁組ボタン
５１０  設定スイッチ
５１１、６１１  表示部
５１２、６１２  電池
【図１】
2011155453.tif 000003
【図２】
2011155453.tif 000004
【図３】
2011155453.tif 000005
【図４】
2011155453.tif 000006
【図５】
2011155453.tif 000007
【図６】
2011155453.tif 000008
【図７】
2011155453.tif 000009
【図８】
2011155453.tif 000010
【図９】
2011155453.tif 000011
【図１０】
2011155453.tif 000012